(57)【要約】【課題】会議システムなどで、特定の画像表示デバイス及び／又は会議参加者の情報処理端末に表示されている画像データを参加者が容易に入手できるようにした情報処理装置を得る。【解決手段】プロジェクタ３１、パソコン３２、ＴＶ会議システムのディスプレイ３３などの画像表示デバイスが接続されており、かつ、複数の情報処理端末（パソコン）４１がログイン可能な情報処理装置１０。情報処理装置１０は、ログインしているパソコン４１を識別する識別手段と、画像表示デバイス及び／又はログインしているパソコンによって表示されている画像を取得する取得手段と、取得した画像をログインしているパソコンからの転送要求に基づいて該パソコンに転送する転送手段とを備えている。【選択図】図１
2012003563.tif 000002
【特許請求の範囲】
【請求項１】
少なくとも一つの画像表示デバイスが接続されており、かつ、複数の情報処理端末がログイン可能な情報処理装置において、
ログインしている情報処理端末を識別する識別手段と、
前記画像表示デバイス及び／又はログインしている情報処理端末によって表示されている画像を取得する取得手段と、
前記取得手段で取得した画像をログインしている情報処理端末からの転送要求に基づいて該情報処理端末に転送する転送手段と、
前記識別手段、前記取得手段、前記転送手段を制御する制御手段と、
を備えたことを特徴とする情報処理装置。
【請求項２】
さらに、前記画像表示デバイス及び／又はログインしている情報処理端末によって表示されている画像を、ログインしている情報処理端末に一覧表示させる一覧表示手段を備えたこと、を特徴とする請求項１に記載の情報処理装置。
【請求項３】
前記画像表示デバイスは、プロジェクタ、ＴＶ会議システム及び／又はパソコンであり、
前記取得手段は、前記プロジェクタ、ＴＶ会議システム及び／又はパソコンに表示されている画像を取得すること、
を特徴とする請求項１又は請求項２に記載の情報処理装置。
【請求項４】
前記制御手段は、前記画像表示デバイス及び／又はログインしている情報処理端末によって表示されている画像の取得を許可すること、を特徴とする請求項１ないし請求項３のいずれかに記載の情報処理装置。
【請求項５】
前記制御手段は、ログインしている情報処理端末に表示されている画像が取得許可されていない場合は、該画像を表示している情報処理端末に対して取得の許可を求めること、を特徴とする請求項１ないし請求項３のいずれかに記載の情報処理装置。
【請求項６】
さらに、前記画像表示デバイス及び／又はログインしている情報処理端末によって表示されている画像のなかから関連する画像を判別する判別手段を備え、
前記転送手段は、ログインしている情報処理端末からの関連画像の転送要求に基づいて該情報処理端末に該関連画像を転送すること、
を特徴とする請求項１ないし請求項５のいずれかに記載の情報処理装置。
【請求項７】
さらに、メモリ手段を備え、
前記制御手段は、前記画像表示デバイス及び／又はログインしている情報処理端末によって表示されている画像の変換を検知し、変換される直前の画像を前記メモリ手段に格納すること、
を特徴とする請求項１ないし請求項６のいずれかに記載の情報処理装置。
【発明の詳細な説明】
【技術分野】
【０００１】
本発明は、情報処理装置、特に、複数の情報処理端末がログインして会議システムを構成することのできる情報処理装置に関する。
【背景技術】
【０００２】
近年、複数人が自身のパソコンなどの情報処理端末を持ち込んで、一つの情報処理装置にログインし、リソースを共有した状態で会議や打ち合わせを行うシステムが開発されている。そのとき、プロジェクタなどの画像表示デバイス上に現在表示されている画像を、会議参加者が取得したいと希望する場合がある。その場合、取得したい画像データをそれを保持している参加者あるいは情報処理装置に取得を要求するには、数あるデータから現在表示されているデータを特定するための操作が必要であった。実際上、表示画面を見ても保存ファイルは特定できないので、ＵＲＬのやり取りとか、ファイル名のやり取りが必要であった。また、ファイル名が判明しても、数あるファイルから検索するのも煩雑である。
【０００３】
特許文献１には、集約印刷機能選択時のプレビュー画像表示において、集約の割付け配置をユーザの指示により設定することのできる画像処理装置が開催されている。しかし、この画像処理装置は、集約割付けをユーザが指示できるものの、スタンドアローン機能を持つだけである。特許文献１においては、会議システムへの適用にまで言及することはない。
【０００４】
特許文献２には、印刷機能を備えたプロジェクタが記載されている。プロジェクタに印刷指示することで、その表示画像を印刷可能なデータに変換し、印刷する。しかし、このプロジェクタは、印刷機能のみを有するもので、画像の合成や割付けを行うことはない。特許文献２においては、画像データの受け渡しにまで言及することはない。
【先行技術文献】
【特許文献】
【０００５】
【特許文献１】特開２００８−２２７５８４号公報
【特許文献２】特開２００９−６３８５１号公報
【発明の概要】
【発明が解決しようとする課題】
【０００６】
そこで、本発明の目的は、会議システムなどで、特定の画像表示デバイス及び／又は会議参加者の情報処理端末に表示されている画像データを参加者が容易に入手できるようにした情報処理装置を提供することにある。
【課題を解決するための手段】
【０００７】
以上の目的を達成するため、本発明の一形態である情報処理装置は、
少なくとも一つの画像表示デバイスが接続されており、かつ、複数の情報処理端末がログイン可能な情報処理装置において、
ログインしている情報処理端末を識別する識別手段と、
前記画像表示デバイス及び／又はログインしている情報処理端末によって表示されている画像を取得する取得手段と、
前記取得手段で取得した画像をログインしている情報処理端末からの転送要求に基づいて該情報処理端末に転送する転送手段と、
前記識別手段、前記取得手段、前記転送手段を制御する制御手段と、
を備えたことを特徴とする。
【０００８】
前記情報処理装置は、画像表示デバイス及び／又はログインしている情報処理端末によって表示されている画像を取得することにより、ログインしている情報処理端末からの画像転送要求に応えて当該画像を転送する。これにて、会議参加者は、現在表示されている画像を容易に入手することができる。
【発明の効果】
【０００９】
本発明によれば、会議システムなどで、特定の画像表示デバイス及び／又は会議参加者の情報処理端末に表示されている画像データを参加者が容易に入手できる。
【図面の簡単な説明】
【００１０】
【図１】会議システムの全体構成を示す説明図である。
【図２】前記会議システムを構成する情報処理装置の制御部を示すブロック図である。
【図３】画像選択画面を示す説明図である。
【図４】入手した画像の印刷用割付け画像を示す説明図である。
【図５】画像の要求／転送に関する基本的な処理手順を示すフローチャート図である。
【図６】ユーザによる画像取得要求処理手順の第１例を示すフローチャート図である。
【図７】ユーザによる画像取得要求処理手順の第２例を示すフローチャート図である。
【図８】ユーザによる画像取得要求処理手順の第３例を示すフローチャート図である。
【図９】前記情報処理装置による画像蓄積処理手順の一例を示すフローチャート図である。
【発明を実施するための形態】
【００１１】
以下、本発明に係る情報処理装置の実施例について、添付図面を参照して説明する。
【００１２】
（会議システムの全体構成、図１参照）
情報処理装置１０を中心とする会議システムは、図１に示すように、プロジェクタ３１、パソコン３２、ＴＶ会議システムのディスプレイ３３などの画像表示デバイスが情報処理装置１０に接続されている。さらに、パソコン４１などの複数の情報処理端末が情報処理装置１０にログイン可能である。
【００１３】
（情報処理装置、図２〜図４参照）
情報処理装置１０は、電子写真法による画像形成機能を備えるとともに、この会議システムの基地局としての機能を備えた画像形成複合装置（ＭＦＰ）として構成されている。従って、以下に情報処理装置１０はＭＦＰ１０と記す。ＭＦＰ１０の制御部は、図２に示すように、ＣＰＵ１１を中心として構成され、識別手段１２と、画像取得／転送手段１３と、画像形式変換手段１４と、画像のメモリ手段として機能するバッファ１５と、一覧表示手段１６、関連画像判別手段１７と、ネットワーク管理手段１８などで構成されている。
【００１４】
識別手段１２は、ログインしている情報処理端末（パソコン４１など）を識別し、ログインユーザ管理手段１２ａを含んでいる。画像取得／転送手段１３は、前記画像表示デバイス（プロジェクタ３１など）及びログインしている情報処理端末によって表示されている画像を取得するとともに、取得した画像をログインしている情報処理端末からの転送要求に基づいて該情報処理端末に転送する。
【００１５】
一覧表示手段１６は、前記画像表示デバイス及びログインしている情報処理端末によって表示されている画像を、ログインしている情報処理端末に一覧表示させる。例えば、図３（Ａ）に示すように、「プロジェクタ」、「ＴＶ会議システム」、「パソコン３２」などの画像表示デバイス名、「ログインしている他のパソコン」などの情報処理端末を一覧表示する。あるいは、図３（Ｂ）に示すように、現在表示されている画像をサムネイル画像３１として一覧表示する。ログインしているユーザはこの表示を受け取り、入手を希望する画像があれば該当表示をクリックして以下に詳述するように画像要求を行う。
【００１６】
ログインしているユーザが画像要求を行い、要求した画像がＭＦＰ１０から転送されてきた場合、例えば図４に示すように、ユーザは１枚のプリント用紙Ｐ上に転送されてきた他のデバイス画像と、自身の情報処理端末にある画像やメモなどを割り付け、必要であれば印刷する。このような画像要求、割付け、印刷などの処理は、ユーザの持つ情報処理端末のプリンタドライバによって行われる。
【００１７】
関連画像判別手段１７は、前記画像表示デバイス及びログインしている情報処理端末によって表示されている画像のなかから関連する画像を判別する。このような判別は、例えば、現在表示されている画像のタイトルと同じ文字が含まれている他の画像を関連画像と判別したり、特定のキーワードを含む画像を関連画像と判別する。そして、画像取得／転送手段１３は、ログインしている情報処理端末からの関連画像の転送要求に基づいて該情報処理端末に該関連画像を転送する。
【００１８】
ＣＰＵ１１は、ログインしている情報処理端末に対して画像表示デバイス及びログインしている他の情報処理端末によって表示されている画像の取得を許可する。但し、ログインしている情報処理端末に表示されている画像が取得許可されていない場合は、該画像を表示している情報処理端末に対して取得の許可を求め、許可した場合のみ該画像の転送を許可する。
【００１９】
また、ＣＰＵ１１は、画像表示デバイス及びログインしている情報処理端末によって表示されている画像の変換を検知し、変換される直前の画像をバッファ１５に格納する。これにて、現在は表示されなくなった画像であっても、ログインしているユーザの要求に基づいて当該画像を転送することができる。但し、バッファ１５は容量に限界があるため、あまり多数の画像を格納することは好ましくない。それゆえ、バッファ１５に格納する画像は、前回表示されていた１枚の画像に限り、前々回に表示されていた画像は消去することが好ましい。
【００２０】
（処理手順の詳細、図５〜図９参照）
次に、前述した画像要求の処理手順について図５〜図８のフローチャートを参照して説明し、画像保存の処理手順について図９のフローチャートを参照して説明する。
【００２１】
画像の要求／転送に関しては、図５に示す基本的な手順で行われる。まず、ユーザが自身の情報処理端末（パソコン）を用いてＭＦＰ１０（ＭＦＰ１０をリソースとも称する）にログインし（ステップＳ１）、自身のプリンタドライバにて他のデバイス（プロジェクタ３１、パソコン３２、ディスプレイ３３、他のユーザのパソコン４１）の画像を図３に示した一覧表示中から選択すると（ステップＳ２）、該プリンタドライバがＭＦＰ１０に画像を要求する（ステップＳ３）。すると、ＭＦＰ１０は指定されたデバイスから表示されている画像を取得する（ステップＳ４）。その後、ＭＦＰ１０は取得した画像を要求元ユーザのパソコンに送信する（ステップＳ５）。送信を受けたユーザは自身のパソコンのプリンタドライバにて画像の割付け作業を行い（図４参照）、保存、印刷、又は、送信指示を行う。
【００２２】
ユーザが他のデバイスの画像の取得要求を行う場合、前記ステップＳ２での処理の第１例を図６に示す。まず、ユーザのパソコンは取得可能な画像をＭＦＰ１０に問い合わせる（ステップＳ１１）。ＭＦＰ１０は、現在ログインしているデバイス（画像表示デバイス及び情報処理端末を含む）の表示画像から所得可能なデバイス名及び画像情報を取得し（ステップＳ１２）、取得したデバイス名及び画像情報を要求元ユーザのパソコンに返送する（ステップＳ１３）。要求元であるパソコンは、画像一覧又はデバイス名一覧を取得可能一覧として自身の画面上に表示する（ステップＳ１４）。ユーザは表示された取得可能一覧により、画像又はデバイス名を選択する（ステップＳ１５）。その後、前記ステップＳ３へ移行する。
【００２３】
また、ユーザが取得を要求する画像が他のユーザのものである場合に前記ステップＳ２で実行される処理を第２例として図７に示す。まず、ユーザは画像取得要求を他のユーザのパソコンに対して行う（ステップＳ２１）。他のユーザのパソコンの常駐プリンタドライバは、当該パソコンの画面にてポップアップにより取得を許可するかどうかを所有者であるユーザに選択させる（ステップＳ２２）。他のユーザが許可すると（ステップＳ２３でＹＥＳ）、他のユーザのパソコンは許可した画像情報を要求元のユーザのパソコンに返送する（ステップＳ２４）。一方、他のユーザが許可しない場合は、許可しない旨を要求元のユーザのパソコンに返送する（ステップＳ２５）。
【００２４】
その後、要求元であるパソコンは、画像一覧又はデバイス名一覧を取得可能一覧として自身の画面上に表示する（ステップＳ２６）。ユーザは表示された取得可能一覧により、画像又はデバイス名を選択する（ステップＳ２７）。その後、前記ステップＳ３へ移行する。
【００２５】
なお、ユーザが他のユーザに画像の取得を許可するか否かを問い合わせるのは、ＭＦＰ１０を介在することなく、直接問い合わせるようにしてもよい。但し、許可／不許可のいずれであっても、ＭＦＰ１０がそれを識別できることが必要である。
【００２６】
また、ユーザが取得を要求する画像と関連する画像が存在する場合に前記ステップＳ２で実行される処理を第３例として図８に示す。まず、ユーザは関連画像の取得要求をＭＦＰ１０に対して行う（ステップＳ３１）。ＭＦＰ１０は、現在ログインしているデバイス（画像表示デバイス及び情報処理端末を含む）の表示画像から所得可能なデバイス名及び画像情報を取得し（ステップＳ３２）、取得した画像情報に基づいて要求元パソコンで表示している画像と関連性のある画像を絞り込む（ステップＳ３３）。ここでの絞り込みは、前記関連画像判別手段１７によって行われる。
【００２７】
次に、ＭＦＰ１０は、絞り込んだ関連画像情報を要求元のパソコンに返送する（ステップＳ３４）。要求元であるパソコンは、画像一覧又はデバイス名一覧を取得可能一覧として自身の画面上に表示する（ステップＳ３５）。ユーザは表示された取得可能一覧により、画像又はデバイス名を選択する（ステップＳ３６）。その後、前記ステップＳ３へ移行する。
【００２８】
次に、ＭＦＰ１０が表示画像を蓄積する手順について図９を参照して説明する。ＭＦＰ１０は、現在表示されている画像をバッファ１５へ保存し（ステップＳ５１）、他のデバイスに対して定期ポーリングにより画像を取得する（ステップＳ５２）。そして、バッファ１５に保存されている画像と新たに取得した画像とを比較し、異なるか否かを判断する（ステップＳ５３）。両者が同じ画像であれば、ステップＳ５２へ戻り、異なっていれば、現在表示されている画像をバッファ１５に保存し前々回に表示されていた画像を消去し（ステップＳ５４）、ステップＳ５２へ戻る。
【００２９】
（他の実施例）
なお、本発明に係る情報処理装置は前記実施例に限定するものではなく、その要旨の範囲内で種々に変更することができる。
【００３０】
例えば、基地局として使用しているＭＦＰ１０は、前記実施例に記載のもの以外に、種々の構成のものを使用することができ、画像形成複合装置以外の装置であってもよい。また、画像表示デバイスやログインが可能な情報処理端末も、前記実施例に記載のものに限定するものではないことは勿論である。
【産業上の利用可能性】
【００３１】
以上のように、本発明は、情報処理装置に有用であり、特に、会議システムなどで、特定の画像表示デバイス及び／又は会議参加者の情報処理端末に表示されている画像データを参加者が容易に入手できる点で優れている。
【符号の説明】
【００３２】
１０…情報処理装置（画像形成複合装置  ＭＦＰ）
１１…ＣＰＵ
１２…ユーザ識別手段
１３…画像取得／転送手段
１４…画像形式変換手段
１５…バッファ
１６…一覧表示手段
１７…関連画像判別手段
１８…ネットワーク管理手段
３１…プロジェクタ
３２…パソコン
３３…ディスプレイ（ＴＶ会議システム）
４１…ログインしているユーザのパソコン
【図１】
2012003563.tif 000003
【図２】
2012003563.tif 000004
【図３】
2012003563.tif 000005
【図４】
2012003563.tif 000006
【図５】
2012003563.tif 000007
【図６】
2012003563.tif 000008
【図７】
2012003563.tif 000009
【図８】
2012003563.tif 000010
【図９】
2012003563.tif 000011